Podtech/llm-jp-corpus-v4-ja_patent huggingface dataset:
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
システムであって、
１つまたは複数のシステム特徴の組の各々に対する信号のための信号状態の組を格納する不揮発性メモリを備え、
前記システムは、
（ａ）前記不揮発性メモリ内に格納された前記信号状態の組が変更されることができないロックダウン状態と、
（ｂ）前記不揮発性メモリ内に格納された前記信号状態の組が変更されることができる非ロックダウン状態とに構成可能なハードウェアと、
前記信号状態に基づき前記システム特徴の組の機能を構成する、ハードウェアロジックとを備える、システム。
【請求項２】
前記ハードウェアロジックは、前記非ロックダウン状態の間に再プログラムされることができ、前記ハードウェアロジックは、前記ロックダウン状態の間に再プログラムされることができない、請求項１に記載のシステム。
【請求項３】
前記ハードウェアロジックは、前記ロックダウン状態または前記非ロックダウン状態のいずれの間にも再プログラムされることができないハード化されたロジックを備える、請求項１に記載のシステム。
【請求項４】
前記システムは、前記ハードウェアが前記非ロックダウン状態にあるときに前記不揮発性メモリ内に格納された前記信号状態の組を変更するための機能を含む前記ハードウェアロジックの外部のコントローラをさらに備え、前記コントローラは、前記ハードウェアが前記ロックダウン状態にあるときに前記不揮発性メモリ内に格納された前記信号状態の組を変更することができない、請求項１から請求項３のいずれか１項に記載のシステム。
【請求項５】
前記コントローラは、ベースボード管理コントローラ（ＢＭＣ）である、請求項４に記載のシステム。
【請求項６】
前記コントローラは、前記ハードウェアが前記ロックダウン状態にあるときに前記不揮発性メモリ内に格納された前記信号状態の組を読み込むための機能を含む、請求項４に記載のシステム。
【請求項７】
前記ロックダウン状態と前記非ロックダウン状態との間の変化は、前記システムの物理的操作なしに引き起こされることができない、請求項１から請求項６のいずれか１項に記載のシステム。
【請求項８】
前記システムの前記物理的操作は、（ａ）前記システム内に備えられたマザーボード上の２つのピンを接続するためにジャンパを追加すること、または（ｂ）前記ジャンパを除去して、前記システム内に備えられたマザーボード上の２つのピンを切断することを備える、請求項７に記載のシステム。
【請求項９】
前記ロックダウン状態と前記非ロックダウン状態との間の変化は、前記システム内に備えられた信頼されたエンティティを介する前記システムの遠隔操作を用いて引き起こされることができる、請求項１から請求項６のいずれか１項に記載のシステム。
【請求項１０】
前記不揮発性メモリは、前記ハードウェアロジックのみを介してアクセス可能である、請求項１から請求項９のいずれか１項に記載のシステム。
【請求項１１】
方法であって、
請求項１から請求項１０のいずれか１項に記載された動作を備え、
前記方法は、ハードウェアプロセッサを含む少なくとも１つのデバイスにおいて実行される、方法。
【請求項１２】
１つまたは複数のハードウェアプロセッサが実行すると請求項１から請求項１０のいずれか１項に記載された動作を実行させる命令を含む、コンピュータプログラム。
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
ガラス、ガラスセラミック、又は金属のうちの少なくとも１つを含むコア粒子と、
前記コア粒子に付着している表面粒子と、
前記コア粒子及び前記表面粒子の少なくとも一部分上に配置された金属コーティングと、を含む導電性粒子であって、
前記コア粒子は、前記表面粒子よりも大きい、導電性粒子。
【請求項２】
前記コア粒子は、ガラス又はガラスセラミックのうちの少なくとも１つを含む、請求項１に記載の導電性粒子。
【請求項３】
有機マトリックス中に分散している、請求項１または２に記載の導電性粒子。
【請求項４】
２つの主表面を有する基材と、
前記基材の第１の主表面上に配置された有機マトリックスを含む層と、
前記有機マトリックス内に分散している導電性粒子と、を含む物品であって、
前記導電性粒子は、
ガラス、ガラスセラミック、又は金属のうちの少なくとも１つを含むコア粒子と、
前記コア粒子に付着している表面粒子と、
前記コア粒子及び前記表面粒子の少なくとも一部分上に配置された金属コーティングと、を含み、
前記コア粒子は、前記表面粒子よりも大きい、物品。
【請求項５】
前記基材は、銀、金、白金、パラジウム、ニッケル、銅、アルミニウム、及びこれらの組み合わせから選択される金属を含む導電性基材である、請求項４に記載の物品。
【請求項６】
前記導電性基材は、金属箔、金属メッシュ、又は金属コーティングされた基材を含む、請求項５に記載の物品。
【請求項７】
前記有機マトリックスは、前記有機マトリックス及び前記導電性粒子の体積に基づいて少なくとも１体積パーセントの導電性粒子を含む、請求項４〜６のいずれか一項に記載の物品。
【請求項８】
前記有機マトリックスは接着剤を含む、請求項４〜７のいずれか一項に記載の物品。
【請求項９】
前記金属コーティングは、前記導電性粒子の少なくとも１重量パーセントから最大５０重量パーセントの量で存在する、請求項４〜８のいずれか一項に記載の物品。
【請求項１０】
導電性粒子の製造方法であって、
前駆体コア粒子を提供することと、
前駆体表面粒子を含む床に前記前駆体コア粒子を置くことと、
前記床を加熱して、表面粒子をコア粒子に付着させることと、
前記コア粒子及び前記表面粒子の少なくとも一部分に金属コーティングを塗布して、導電性粒子を提供することと、を含み、前記導電性粒子は、
ガラス、ガラスセラミック、又は金属のうちの少なくとも１つを含むコア粒子と、
前記コア粒子に付着している表面粒子であって、前記コア粒子が前記表面粒子よりも大きい、表面粒子と、
前記コア粒子及び前記表面粒子の少なくとも一部分上に配置された金属コーティングと、を含む、製造方法。
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
走査電子顕微鏡法（ＳＥＭ）システムのためのマルチカラムアセンブリであって、
１つ又は複数の間隔によって画定されたアレイ内に配列された複数の電子光学カラムであって、それぞれの電子光学カラムは、１つ又は複数の電子光学要素を含む、複数の電子光学カラムを備え、
前記複数の電子光学カラムは、ステージ上に固定された試料の表面上のフィールド領域を特徴付けるように構成され、
前記複数の電子光学カラム内の電子光学カラムの数は、前記フィールド領域内の検査領域の整数の数に等しく、
前記複数の電子光学カラムの前記１つ又は複数の間隔は、前記検査領域の１つ又は複数の寸法に対応し、
前記電子光学カラムは、複数の電子光学カラムの全検査領域が前記試料の全領域に一致するように離間され、
前記電子光学カラムは、各電子光学カラムにより検査された領域が等しくなるように離間され、検査領域の整数の数の隣接する検査領域の少なくとも１つの組は、少なくとも部分的に重複する、
マルチカラムアセンブリ。
【請求項２】
前記１つ又は複数の間隔は、第１方向の第１間隔と、少なくとも第２方向の少なくとも第２間隔と、を含む、請求項１に記載のマルチカラムアセンブリ。
【請求項３】
前記第１方向の第１間隔と前記少なくとも第２方向の少なくとも第２間隔とは、異なる、請求項２に記載のマルチカラムアセンブリ。
【請求項４】
前記第１方向の第１間隔と前記少なくとも第２方向の少なくとも第２間隔とは、等しい、請求項２に記載のマルチカラムアセンブリ。
【請求項５】
前記整数の数の検査領域のうちの隣接する検査領域は、重複しない、請求項１に記載のマルチカラムアセンブリ。
【請求項６】
前記試料の表面上の前記フィールド領域は、前記試料の表面上に単一のフィールド領域を含み、前記単一のフィールド領域は、前記整数の数の検査領域に分割される、請求項１に記載のマルチカラムアセンブリ。
【請求項７】
前記試料の表面上の前記フィールド領域は、第１フィールド領域と、少なくとも第２フィールド領域と、を含み、前記第１フィールド領域及び前記少なくとも第２フィールド領域は、それぞれ前記整数の数の検査領域を含む、請求項１に記載のマルチカラムアセンブリ。
【請求項８】
前記複数の電子光学カラムは、前記第１フィールド領域及び前記少なくとも第２フィールド領域を順番に特徴付けるように構成されている、請求項７に記載のマルチカラムアセンブリ。
【請求項９】
前記複数の電子光学カラムは、前記第１フィールド領域内の前記整数の数の検査領域を特徴付けた後に、前記少なくとも第２フィールド領域内の前記整数の数の検査領域を特徴付けるように構成されている、請求項８に記載のマルチカラムアセンブリ。
【請求項１０】
前記第１フィールド領域と前記少なくとも第２フィールド領域とは、重複しない、請求項７に記載のマルチカラムアセンブリ。
【請求項１１】
前記第１フィールド領域と前記少なくとも第２フィールド領域とは、少なくとも部分的に重複する、請求項７に記載のマルチカラムアセンブリ。
【請求項１２】
前記第１フィールド領域と前記少なくとも第２フィールド領域とは、サイズが実質的に等しい、請求項７に記載のマルチカラムアセンブリ。
【請求項１３】
前記第１フィールド領域は、前記少なくとも第２フィールド領域とサイズが異なる、請求項７に記載のマルチカラムアセンブリ。
【請求項１４】
前記複数の電子光学カラムは、複数の電子ビームソースによって生成された複数の電子ビームを受け取る、請求項１に記載のマルチカラムアセンブリ。
【請求項１５】
前記複数の電子光学カラムのそれぞれの電子光学カラムは、前記複数の電子ビームのうちの１つの電子ビームを受け取る、請求項１４に記載のマルチカラムアセンブリ。
【請求項１６】
前記複数の電子光学カラムは、前記複数の電子ビームを前記試料の表面まで導く、請求項１４に記載のマルチカラムアセンブリ。
【請求項１７】
前記試料は、前記複数の電子ビームのうちの少なくとも１つの電子ビームに応じて、電子を放出する又は散乱させる、請求項１６に記載のマルチカラムアセンブリ。
【請求項１８】
前記複数の電子光学カラムのうちの少なくとも１つの電子光学カラムは、前記放出された又は散乱させられた電子のうちの少なくとも一部分を検出する、請求項１７に記載のマルチカラムアセンブリ。
【請求項１９】
前記試料は、フォトマスク又はレチクルのうちの少なくとも１つを備える、請求項１に記載のマルチカラムアセンブリ。
【請求項２０】
マルチカラム走査電子顕微鏡法（ＳＥＭ）システムであって、
複数の電子ビームを生成するように構成された複数の電子ビーム源を備える電子ビーム源アセンブリと、
試料を固定するステージと、
マルチカラムアセンブリであって、１つ又は複数の間隔によって画定されたアレイ内に配列された複数の電子光学カラムを備え、それぞれの電子光学カラムは、１つ又は複数の電子光学要素を含み、
前記複数の電子光学カラムが、前記ステージ上に固定された前記試料の表面上のフィールド領域を特徴付けるように構成され、
前記複数の電子光学カラム内の電子光学カラムの数は、前記フィールド領域内の検査領域の整数の数に等しく、
前記複数の電子光学カラムの前記１つ又は複数の間隔は、前記検査領域の１つ又は複数の寸法に対応し、
前記電子光学カラムは、複数の電子光学カラムの全検査領域が前記試料の全領域に一致するように離間され、
前記電子光学カラムは、各電子光学カラムにより検査される領域が等しくなるように離間され、検査領域の整数の数の隣接する検査領域の少なくとも１つの組は、少なくとも部分的に重複する、
マルチカラム走査電子顕微鏡法（ＳＥＭ）システム。
【請求項２１】
１つ又は複数の間隔によって画定されたアレイ内に配列されたマルチカラム走査電子顕微鏡法（ＳＥＭ）精査ツールの複数の電子光学カラムを介して、試料の表面上のフィールド領域を特徴付けるステップであって、それぞれの電子光学カラムは、１つ又は複数の電子光学要素を含む、ステップを含み、
前記複数の電子光学カラム内の電子光学カラムの数は、前記フィールド領域内の検査領域の整数の数に等しく、
前記複数の電子光学カラムの前記１つ又は複数の間隔は、前記検査領域の１つ又は複数の寸法に対応し、
前記電子光学カラムは、複数の電子光学カラムの全検査領域が前記試料の全領域に一致するように離間され、
前記電子光学カラムは、各電子光学カラムにより検査された領域が等しくなるように離間され、検査領域の整数の数の隣接する検査領域の少なくとも１つの組は、少なくとも部分的に重複する、
方法。
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
減光時に複数エミッター発光装置の色域を増加させる方法であって、
前記装置内の各エミッターを独立に駆動するステップと、
前記発光装置の総ルーメン出力が減少しても総色域が増加するように、少なくとも１つのエミッターのルーメン出力を増加させ、同時に少なくとも１つのその他のエミッターのルーメン出力を減少させるステップと、
ルーメン出力が減少するのに従い、IES TM-30-15色域インデックス（Rg）を線形に増加させるステップと、
を有する、方法。
【請求項２】
複数のLEDエミッターは、少なくとも７つのLEDエミッターを含み、前記少なくとも７つのLEDエミッターは、赤色エミッター、ライム色エミッター、琥珀色（amber）エミッター、緑色エミッター、シアン色エミッター、青色エミッター及び藍色（indigo）エミッターを含む、請求項１に記載の方法。
【請求項３】
複数のLEDエミッターは、少なくとも４つのLEDエミッターを含み、前記少なくとも４つのLEDエミッターは、赤色エミッター、緑色エミッター、ロイヤルブルー色（藍色）エミッター及び白色エミッターを含む、請求項１に記載の方法。
【請求項４】
複数のLEDエミッターは、少なくとも５つのLEDエミッターを含み、前記少なくとも５つのLEDエミッターは、赤色エミッター、ライム色エミッター、緑色エミッター、シアン色エミッター及びロイヤルブルー色（藍色）エミッターを含む、請求項１に記載の方法。
【請求項５】
減光時に複数エミッター発光装置の色域を増加させる方法であって、
前記装置内の各エミッターを独立に駆動するステップと、
前記発光装置の総ルーメン出力が減少しても総色域が増加するように、少なくとも１つのエミッターのルーメン出力を増加させ、同時に少なくとも１つのその他のエミッターのルーメン出力を減少させるステップと、
ルーメン出力が減少するのに従い、IES TM-30-15忠実度インデックス（Rf）を線形に減少させるステップと、
を有する、方法。
【請求項６】
全出力における約101から最小調光レベルにおける約140まで、IES TM-30-15色域インデックス（Rg）を線形に増加させるステップを更に有する、請求項１に記載の方法。
【請求項７】
ルーメン出力が減少するのに従い、Duvを線形に減少させるステップを更に有する、請求項１に記載の方法。
【請求項８】
ルーメン出力が減少するのに従い、一定の相対色温度を維持するステップを更に有する、請求項１に記載の方法。
【請求項９】
発光装置であって、
少なくとも２つのLEDエミッターと、
少なくとも１つの内部コントローラと、
前記少なくとも１つの内部コントローラを介して、複数のLEDエミッターを独立に駆動するよう構成された複数のドライバー回路と、
前記発光装置の総ルーメン出力が減少しても総色域が増加するように、少なくとも１つのエミッターのルーメン出力を増加させ、同時に少なくとも１つのその他のエミッターのルーメン出力を減少させるよう構成されたプログラミングロジックと、
を備え、
前記発光装置は、ルーメン出力が減少するのに従い、IES TM-30-15色域インデックス（Rg）を線形に増加させるよう更に構成される、発光装置。
【請求項１０】
前記少なくとも２つのLEDエミッターのそれぞれは、異なる色を発光するよう構成される、請求項９に記載の発光装置。
【請求項１１】
前記少なくとも２つのLEDエミッターは、赤色エミッター、ライム色エミッター、琥珀色（amber）エミッター、緑色エミッター、シアン色エミッター、青色エミッター、藍色（indigo）エミッター及び白色エミッターからなるグループから選択される、請求項９に記載の発光装置。
【請求項１２】
前記発光装置は、全出力における約101から最小調光レベルにおける約140まで、前記IES TM-30-15色域インデックス（Rg）を線形に増加させるよう更に構成される、請求項９に記載の発光装置。
【請求項１３】
前記発光装置は、50%調光レベルにおいて少なくとも120まで、前記IES TM-30-15色域インデックス（Rg）を増加させるよう更に構成される、請求項９に記載の発光装置。
【請求項１４】
前記複数のLEDエミッターのそれぞれはLEDダイスを含む、請求項９に記載の発光装置。
【請求項１５】
前記複数のLEDエミッターは、１つのLEDパッケージ内に配置される、請求項９に記載の発光装置。
【請求項１６】
前記発光装置は照明器具である、請求項９に記載の発光装置。
【請求項１７】
外部コントローラ及び前記内部コントローラに通信可能に接続される外部コントローラインタフェースを更に有する、請求項９に記載の発光装置。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
電気器具を、電源配線に電気的に接続される１又は２以上の導電性の同心リング状接触端子を収容する内部キャビティを有するソケット本体を含む形式の電気ソケットに接続する装置であって、前記装置は、
前記電気器具にしっかりと固定されて前記ソケットへ挿入可能なプラグであって、前記プラグが、前記電気器具と前記電力配線との間の回路を確立するために、前記電気器具に電気的に接続され、前記ソケット内の前記１又は２以上の接触端子と結合可能な１又は２以上の雄コネクタを有するプラグと、
前記電気器具を支持体上に解除可能に取り付けるために、前記プラグ及び前記ソケットの組み合わせ体上に取り付けられた解除可能なラッチと、
を含み、前記装置は、
前記プラグを取り囲むハブと、
各々が電子データを受信又は送信するように動作する電子デバイスを含む、前記ハブの周囲に解除可能に接続可能な複数のセンサーモジュールと、
を備えることを特徴とする装置。
【請求項２】
前記ハブ内に配置された中央電子基板をさらに含み、前記複数のセンサーモジュールの各々は、前記センサーモジュールのそれぞれが前記ハブの周囲に接続された場合に前記中央電子基板に電気的に接続可能である、請求項１に記載の装置。
【請求項３】
前記複数のセンサーモジュールは、前記センサーモジュールが前記ハブの周囲に接続された場合に有線コネクタを使用して相互に電気的に接続可能である、請求項１に記載の装置。
【請求項４】
前記ハブは、円形であり、前記センサーモジュールは、前記ハブの半径に対応する弓形形状を有する回路基板を含む、請求項１に記載の装置。
【請求項５】
前記センサーモジュールのうちの少なくとも１つは、検知状態を無線で伝達する、請求項１から４のいずれかに記載の装置。
【請求項６】
前記センサーモジュールのうちの少なくとも１つは、信号を無線で受信する、請求項５に記載の装置。
【請求項７】
前記信号は、前記装置及び／又は関連の電気器具を制御するコマンド信号である、請求項６に記載の装置。
【請求項８】
前記コマンド信号は、前記検知状態から生じる、請求項７に記載の装置。
【請求項９】
検知モジュールは、ＲＦ、Ｗｉ−Ｆｉ、及びブルートゥースセンサーのうちの少なくとも１つを受信する送信センサーを含む、請求項１に記載の装置。
【請求項１０】
検知モジュールは、温度、湿度、煙、一酸化炭素、動き及び存在のうちの少なくとも１つを含む環境状態を検出する、請求項１に記載の装置。
【請求項１１】
検知モジュールは、防犯カメラ、ガラス破損検出器、動き／存在検出器、及び非常時用照明のうちの少なくとも１つを含む、請求項１に記載の装置。
【請求項１２】
センサーモジュールは、ハウジングを含み、前記ハウジングは、オプションでアクセス開口を含む、請求項１に記載の装置。
【請求項１３】
前記センサーモジュールは、磁石、フック、及びループファスナー、摺動蟻継ぎ、締まり嵌め、スナップ接続、１又は２以上のねじ、接着剤、又は、電気コネクタによって形成された機械的結合のうちの少なくとも１つを使用して前記ハブに解除可能に接続可能である、請求項１に記載の装置。
【請求項１４】
電気器具を電源配線に接続しかつ前記電気器具を支持体上に取り付ける装置であって、
内部に少なくとも１つの内部キャビティを有するソケット本体を含むソケットと、
前記電源配線と前記ソケットとの間の電気接続を確立するために、前記キャビティ内に配置された複数の導電性の同心リング状接触端子と、
前記電気器具にしっかりと固定され、前記ソケットへ挿入可能なプラグであって、前記プラグが、前記電気器具と前記電力配線との間の回路を確立するために、前記ソケットの前記キャビティ内の前記複数の接触端子と接続可能な複数の同心リング状接触端子を有する、プラグと、
前記電気器具を前記支持体上に解除可能に取り付けるための、前記プラグ及び前記ソケットの組み合わせ体上に取り付けられた解除可能なラッチと、
前記プラグ及び前記ソケットのうちの少なくとも一方に電気的に接続され、検知状態を無線で伝達すること及び信号を無線で受信することのうちの少なくとも一方のための検知ユニットと、
を備える、装置。
【請求項１５】
前記ソケットは、嵌合平面を定め、前記プラグは、前記嵌合平面上にある何らかの半径方向角度で前記プラグを前記ソケットに挿入することによって前記ソケットと結合可能である、請求項１４に記載の装置。
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
Ｘ線管と、
前記Ｘ線管に電源電圧を提供するためのコンバータ装置と、
前処理制御器と、
前記コンバータ装置及び前記前処理制御器に結合される変調器と、を備え、
前記コンバータ装置はインバータ及び共振コンバータを備え、
前記前処理制御器は、前記共振コンバータの数学的モデルに基づいて所定の時間帯にわたって連続時間関数として前記共振コンバータの基準デューティ比を決定し、
前記前処理制御器は、前記所定の時間帯にわたって前記基準デューティ比と相関する制御信号を前記変調器に提供し、
前記前処理制御器は、前記制御信号を前記変調器にフィードフォワードし、
前記変調器は、前記制御信号に基づいてスイッチング信号を決定し、
前記変調器は、前記コンバータ装置の前記インバータに前記スイッチング信号を提供して前記インバータを作動させることで、前記電源電圧が前記コンバータ装置によって生じるようにする、Ｘ線放射を生成するためのＸ線源装置。
【請求項２】
前記前処理制御器は、前記共振コンバータの前記数学的モデルに基づいて前記所定の時間帯にわたって前記共振コンバータの基準インダクタ電流を決定し、及び／又は前記前処理制御器は、前記共振コンバータの前記数学的モデルに基づいて前記所定の時間帯にわたって前記コンバータ装置の基準出力電圧を決定する、請求項１に記載のＸ線源装置。
【請求項３】
前記前処理制御器は、前記基準インダクタ電流に基づいて及び／又は前記基準出力電圧に基づいて前記所定の時間帯にわたって前記基準デューティ比を決定する、請求項２に記載のＸ線源装置。
【請求項４】
前記コンバータ装置の前記共振コンバータは直列並列共振コンバータを含む、及び／又は、前記共振コンバータの前記数学的モデルは、前記共振コンバータのエネルギー蓄積素子として１つのインダクタコイル及び４つのコンデンサを含む、請求項１から３のいずれか一項に記載のＸ線源装置。
【請求項５】
前記コンバータ装置の基準出力電圧からの前記電源電圧の偏差を補償するための制御器をさらに備え、前記前処理制御器は、前記制御器に結合され、前記制御器に基準出力電圧値を提供し、前記制御器は、前記基準出力電圧を前記電源電圧の測定値と比較し、前記制御器は、前記基準出力電圧値からの前記電源電圧の前記測定値の偏差を指示するフィードバック制御信号を決定する、請求項１から４のいずれか一項に記載のＸ線源装置。
【請求項６】
前記制御器は線形制御器である、及び／又は、前記制御器は、１階線形常微分方程式を解することに基づいて前記フィードバック制御信号を決定する、請求項５に記載のＸ線源装置。
【請求項７】
前記制御器は、前記変調器に結合され、前記変調器に前記フィードバック制御信号を提供し、及び／又は、前記変調器は、前記前処理制御器の前記制御信号に基づいて、且つ、前記制御器の前記フィードバック制御信号に基づいて、前記スイッチング信号を決定する、請求項５又は６に記載のＸ線源装置。
【請求項８】
前記前処理制御器は、前記共振コンバータの前記数学的モデルに基づいて、第１の制御器パラメータ及び第２の制御器パラメータの少なくとも１つを決定し、前記第１の制御器パラメータ及び前記第２の制御器パラメータの前記少なくとも１つは、誤差変数に対する線形常微分方程式の係数と相関し、前記誤差変数は、前記Ｘ線源装置によって生成された前記電源電圧と、前記数学的モデルに基づいて前記前処理制御器によって決定された基準出力電圧値との間の相違と相関する、請求項１から７のいずれか一項に記載のＸ線源装置。
【請求項９】
前記前処理制御器は、前記共振コンバータの前記数学的モデルに基づいて前記第１の制御器パラメータ及び前記第２の制御器パラメータの両方を決定する、請求項８に記載のＸ線源装置。
【請求項１０】
前記前処理制御器は、第１の基準出力電圧が前記コンバータ装置によって生じる前記コンバータ装置の第１の状態、及び、第２の基準出力電圧が前記コンバータ装置によって生じる前記コンバータ装置の第２の状態から、前記コンバータ装置の遷移時間を算出し、前記前処理制御器は、決定された前記遷移時間に基づいて、前記第１の制御器パラメータ及び前記第２の制御器パラメータの前記少なくとも１つを決定する、請求項８又は９に記載のＸ線源装置。
【請求項１１】
前記前処理制御器は、前記第１の制御器パラメータ及び前記第２の制御器パラメータの前記少なくとも１つを前記Ｘ線源装置の制御器に提供し、前記制御器は、前記第１の制御器パラメータ及び前記第２の制御器パラメータの前記少なくとも１つに基づいてフィードバック制御信号を決定し、前記フィードバック制御信号は前記基準出力電圧値からの前記電源電圧の偏差を指示している、請求項８から１０のいずれか一項に記載のＸ線源装置。
【請求項１２】
前記前処理制御器は、前記所定の時間帯の少なくとも３つの部分時間帯において前記基準デューティ比を決定する、請求項１から１１のいずれか一項に記載のＸ線源装置。
【請求項１３】
第１の部分時間帯において、前記共振コンバータの基準インダクタ電流は公称電流値まで増加し、第２の部分時間帯において、前記基準インダクタ電流は前記公称電流値で一定のままであり、第３の部分時間帯において、前記基準インダクタ電流は前記共振コンバータの定常状態の電流値まで減少する、請求項１２に記載のＸ線源装置。
【請求項１４】
Ｘ線放射を生成するための、請求項１から１３のいずれか一項に記載のＸ線源装置と、
前記Ｘ線源装置によって生成されたＸ線放射を検出するためのＸ線検出器と、を備える、Ｘ線撮像機器。
【請求項１５】
Ｘ線放射を生成するためのＸ線源装置を動作させる方法であって、
前記Ｘ線源装置は、Ｘ線管、及び、前記Ｘ線管に電源電圧を提供するための、インバータ及び共振コンバータを有するコンバータ装置を備え、前記方法は、
前記共振コンバータの数学的モデルに基づいて所定の時間帯にわたって連続時間関数として前記共振コンバータの基準デューティ比を決定するステップと、
前記Ｘ線源装置の前処理制御器が、前記所定の時間帯にわたって前記基準デューティ比と相関する制御信号を決定するステップと、
前記前処理制御器が、前記制御信号を前記Ｘ線源装置の変調器にフィードフォワードするステップと、
前記変調器が、前記制御信号に基づいてスイッチング信号を決定するステップと、
前記電源電圧が前記コンバータ装置によって生じるように、前記スイッチング信号を前記インバータに提供することによって前記コンバータ装置の前記インバータを作動させるステップと、を有する、方法。
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
カプセルを受け入れるように構成されたカプセルコンパートメントおよび圧力印加要素を備えたネイルポリッシュ塗布装置により使用されるネイルポリッシュ塗布要素と一体化されたカプセルであって、
容器を受容して収容するようにサイズ設定および形状設定された本体部と、
前記本体部の下側に機械的に固定された近位端を有する少なくとも１つの搬送トンネルと、
前記少なくとも１つの搬送トンネルの遠位端からネイルポリッシュ液を受け取り、前記ネイルポリッシュ液を爪表面に塗布するように取り付けられたネイルポリッシュ塗布要素と、
を備えた容器ハウジングを備え、
前記容器は、前記容器ハウジングから分離され、前記ネイルポリッシュ液を含むリザーバを画定し、
開口が摺動ガスケットで封止された上面と、
下面と、
を備え、
前記容器が破砕されたときに、前記ネイルポリッシュ液が前記容器から前記本体部に解放される、カプセル。
【請求項２】
前記ネイルポリッシュ液が、ネイルポリッシュ液、ベースコート液、トップコート液、乾燥材料、ネイルアートポリッシュ液、および医療用ネイルトリートメント液から成る群から選択される１つである、請求項１に記載のカプセル。
【請求項３】
前記容器が、気密封止された、請求項１に記載のカプセル。
【請求項４】
前記摺動ガスケットに印加された圧力が前記摺動ガスケットを前記下面に向かって摺動させ、それにより前記リザーバの体積が減少したときに、前記リザーバで高くなった内圧の結果として前記容器が破砕される、請求項１に記載のカプセル。
【請求項５】
前記容器が、前記下面の脆弱表面で破砕され、前記脆弱表面は、内圧により自動的に破られる、請求項１に記載のカプセル。
【請求項６】
前記下面に位置付けられた弁であって、前記弁が閉鎖される第１の状態および前記弁が開放される第２の状態を有する弁を開放することによって前記容器が破砕され、前記弁が、内圧下で前記第１の状態から前記第２の状態へ自動的に遷移する、請求項１に記載のカプセル。
【請求項７】
前記容器が、前記容器を破砕するように構成された少なくとも１つの貫通要素によって破砕され、前記少なくとも１つの貫通要素が、前記本体部の内側に位置付けられた内部貫通要素および前記カプセルから分離された外部貫通要素から成る群の１つである、請求項１に記載のカプセル。
【請求項８】
前記本体部の円周方向側壁部と前記容器の円周方向側壁部との間に配設された少なくとも１つの円周方向封止要素をさらに備えた、請求項１に記載のカプセル。
【請求項９】
前記本体部は、前記摺動ガスケットに圧力が印加されたときに前記容器を静止位置に係止するように構成された停止要素をさらに備える、請求項１に記載のカプセル。
【請求項１０】
前記少なくとも１つの搬送トンネルを通る前記ネイルポリッシュ液の流量を制御する動的調節可能シャッターをさらに備えた、請求項１に記載のカプセル。
【請求項１１】
前記ネイルポリッシュ塗布要素が、複数の毛束、弾性管、中実パイプ、スポンジ、ワイパー、およびこれらのうちの少なくとも２つの組み合わせから成る群の少なくとも１つを備えた、請求項１に記載のカプセル。
【請求項１２】
前記中実パイプが、前記ネイルポリッシュ液を注射針のネイルポリッシュ塗布先端に搬送する中空内部トンネルを有する前記注射針として形状設定された、請求項１１に記載のカプセル。
【請求項１３】
前記内部トンネルの直径が、０．１ｍｍ〜３ｍｍの範囲であり、前記注射針の外径、前記ネイルポリッシュ液の粘度、および前記先端と前記爪表面との間隙から成る群の１つである少なくとも１つのネイルポリッシュ塗布パラメータに従って適応された、請求項１２に記載のカプセル。
【請求項１４】
前記少なくとも１つの搬送トンネルが、細長ストリップとして構成された、請求項１に記載のカプセル。
【請求項１５】
前記リザーバが、前記リザーバに画定された別個のチャンバに含まれる少なくとも２種類の前記ネイルポリッシュ液を含み、前記少なくとも２種類の前記ネイルポリッシュ液が、前記容器から解放された後、前記本体部において混ざり合う、請求項１に記載のカプセル。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
第１の色を有する第１の部分と、
前記第１の色とは異なる第２の色を有する第２の部分と、
を備える複合研磨物品。
【請求項２】
前記物品は、
任意選択的に、前記第１及び第２の色とは異なる第３の色を有する第３の部分と、
任意選択的に、前記第３の部分が存在する場合には、前記第１、第２、及び第３の色とは異なる第４の色を有する第４の部分と、
を更に備える、請求項１に記載の複合研磨物品。
【請求項３】
前記第１の部分及び前記第２の部分は、前記物品の層であり、前記第１の部分は、研磨層であり、前記第２の部分は、バッキング層である、請求項１に記載の複合研磨物品。
【請求項４】
前記物品は、ホイールであり、前記ホイールは、カットオフホイール、切削及び研削ホイール、凹状中央研削ホイール、凹状中央カットオフホイール、リール研削ホイール、軸付砥石、工具研削ホイール、ロール研削ホイール、ホットプレス研削ホイール、面研削ホイール、研削プラグ、研削コーン、レール研削ホイール、円筒研削ホイール、並びにダブルディスク研削ホイールのうちの少なくとも１つである、請求項１に記載の複合研磨物品。
【請求項５】
請求項１に記載の複合研磨物品を作製する方法であって、
第１の色を有する第１の複数の粒子、
有機バインダー、及び
任意選択の充填剤、
を含む第１の混合物を得ること又は準備することと、
前記第１の混合物を金型と接触させることと、
前記金型を押圧し、請求項１に記載の複合研磨物品を提供することと、
を含む、方法。
【請求項６】
任意選択的に、前記第１の色とは異なる第２の色を有する第２の複数の粒子、及び
有機バインダー、
を含む第２の混合物を得ることと、
任意選択的に、前記第１の色及び前記第２の色とは異なる第３の色を有する第３の複数の粒子、並びに
有機バインダー、
を含む第３の混合物を得ることと、
任意選択的に、前記第１の色、前記第２の色、及び前記第３の色とは異なる第４の色を有する第４の複数の粒子、並びに
有機バインダー、
を含む第４の混合物を得ることと、
前記第２の混合物、前記第３の混合物、及び前記第４の混合物を前記金型と接触させることと、
を更に含む、請求項５に記載の方法。
【請求項７】
第１の着色要素、第２の着色要素、第３の着色要素、及び第４の着色要素のうちの少なくとも１つを添加し、前記それぞれの第１の色、第２の色、第３の色、及び第４の色のうちの少なくとも１つを生成することを更に含み、前記第１の着色要素、前記第２の着色要素、前記第３の着色要素、及び前記第４の着色要素のうちの少なくとも１つは、顔料、光沢材、金属粉末、蒸気コーティングされた金属粉末、堆積された金属粉末、又はこれらの組み合わせを含む、請求項６に記載の方法。
【請求項８】
約１．５ＭＰａ〜約２．０ＭＰａの圧縮力を前記第１、第２、第３、及び第４の混合物のうちの少なくとも１つに印加することを更に含む、請求項６に記載の方法。
【請求項９】
前記第１、第２、第３、及び第４の混合物のうちの少なくとも１つを最大約１９５℃に及ぶ温度で加熱することを更に含む、請求項６に記載の方法。
【請求項１０】
前記加熱は、酸素濃度が周囲条件における酸素濃度よりも低い環境内における加熱を含む、請求項９に記載の方法。
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
第１の凹部を有する第１の面、第２の凹部を有する第２の面、及び第３の凹部を有する第３の面を含むボディと、
前記ボディの前記第１の凹部内に少なくとも部分的に挿入され、第１のチェックバルブを含む第１のサブアセンブリと、
前記ボディの前記第２の凹部内に少なくとも部分的に挿入され、第２のチェックバルブを含む第２のサブアセンブリと、
前記ボディの前記第３の凹部内に少なくとも部分的に挿入され、前記ボディを流体駆動機構に連結する第３のサブアセンブリと、
を備え、
前記第１のサブアセンブリ、前記第２のサブアセンブリ及び前記第３のサブアセンブリは、独立して、それぞれ、前記第１の凹部、前記第２の凹部及び前記第３の凹部に取り付け可能及びそれらから取り外し可能に構成されている、
ことを特徴とする高圧処理装置。
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
ａ）アセチルサリチル酸のエタノール溶液を準備するステップと、
ｂ）リジンの水溶液を準備するステップと、
ｃ）ステップａ）の溶液とステップｂ）の溶液とを合わせて混合物を形成するステップと、
ｄ）任意選択で前記混合物を撹拌するステップと、
ｅ）前記混合物にアセトンを添加するステップと、
ｆ）前記混合物をインキュベートして、アセチルサリチル酸リシネート生成物を形成させるステップと、
ｇ）前記アセチルサリチル酸リシネート生成物を単離するステップであって、
アセチルサリチル酸を、リジンに比べて過剰に使用し、かつ、
種結晶を前記混合物に添加しないステップと、
ｈ）再結晶化グリシンを準備するステップであって、グリシンは、以下のステップ、
ｈ１）水にグリシンを溶解するステップ、
ｈ２）アセトンを前記グリシンの溶液に添加するステップ、
ｈ３）沈殿物が得られるまで、前記混合物を撹拌するステップ、
により再結晶化がなされる、ステップと、
ｉ）ステップｈ）の再結晶化グリシンをステップｇ）のアセチルサリチル酸リシネート生成物と合わせて、アセチルサリチル酸リジン・グリシン（ＬＡＳＡＧ）粒子を得るステップと、
を備えるアセチルサリチル酸リジン・グリシンの製造方法。
【請求項２】
ステップｉ）で得られる粒子が、４０μｍ未満の中央粒径を有し、かつ、ステップｉ）で得られる粒子の少なくとも９０％が、１１０μｍ未満の粒径を有する、請求項１に記載の方法。
【請求項３】
少なくとも、方法のステップｃ）からステップｆ）、および／または、ステップｈ）並びにステップｉ）が、室温以下において実行される、請求項１に記載の方法。
【請求項４】
インキュベーションのステップｆ）が、１０℃以下において実行される、請求項１に記載の方法。
【請求項５】
ステップｇ）における単離が、濾過により実行される、請求項１に記載の方法。
【請求項６】
ステップｇ）における単離が、遠心分離により実行される、請求項１に記載の方法。
【請求項７】
ステップａ）において準備されるアセチルサリチル酸の溶液が、８〜１２％（ｗ／ｖ）のアセチルサリチル酸で構成される、請求項１に記載の方法。
【請求項８】
ステップａ）において準備されるアセチルサリチル酸の溶液が、９〜１０％（ｗ／ｖ）のアセチルサリチル酸で構成される、請求項７に記載の方法。
【請求項９】
ステップｂ）において準備されるリジンの水溶液が、３０〜３５％（ｗ／ｖ）のリジンで構成される、請求項１に記載の方法。
【請求項１０】
ステップｂ）において準備されるリジンの水溶液が、溶解したグリシンをさらに含み、かつ前記溶液中の前記グリシンの濃度が２〜２０％（ｗ／ｖ）であってもよい、請求項１に記載の方法。
【請求項１１】
ステップｂ）において準備されるリジンの水溶液がリジン一水和物から調整されたものである、請求項１に記載の方法。
【請求項１２】
アセチルサリチル酸とリジンが、１〜０．９のモル比で、または、１〜０．９５のモル比で使用される、請求項１に記載の方法。
【請求項１３】
ステップｇ１）単離された生成物を洗浄するステップ、
をさらに備える、請求項１に記載の方法。
【請求項１４】
前記洗浄するステップが、生成物をアセトンで洗浄することを含む、請求項１３に記載の方法。
【請求項１５】
無菌条件下で実行される、請求項１に記載の方法。
【請求項１６】
非無菌条件下で実行され、かつ、さらなるステップ、
ｊ）照射により生成物を滅菌すること、
を備える、請求項１に記載の方法。
【請求項１７】
請求項１に記載の方法により得ることのできる、１００μｍ未満の中央粒径を有するアセチルサリチル酸リジン・グリシン。
【請求項１８】
８０μｍ未満の中央粒径を有する、請求項１７に記載のアセチルサリチル酸リジン・グリシン。
【請求項１９】
５０μｍ未満の中央粒径を有する、請求項１７に記載のアセチルサリチル酸リジン・グリシン。
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
式（ＩＣ）の構造を有するＰＮＡコンジュゲート：
2020514258.tif 000001
［式中、
『特異的結合体』は、抗体、抗体フラグメント、薬物／抗体複合体、及び核酸からなる群より選択され；
『リンカー』は、２から８０個の炭素原子を有し、かつ、任意選択的にＯ、Ｎ、又はＳから選択される１つ以上のヘテロ原子を有する、分岐又は非分岐、直鎖又は環状、置換又は非置換、飽和又は不飽和の基であり；
『ＰＮＡ』はＰＮＡ配列であり；
Ｘは、ビオチン、酵素、色原体、フルオロフォア、ハプテン、及び質量分析タグからなる群より選択され；
Ｙは、１から１２個の炭素原子を有し、かつ、任意選択的に１つ以上のＯ、Ｎ、又はＳヘテロ原子を有する、分岐又は非分岐、直鎖又は環状、置換又は非置換、飽和又は不飽和の基であり；
ｍは、０又は１から６の範囲の整数であり；
ｚは０又は１であり；
ｎは１から１２の範囲の整数である］であって
ＰＮＡ配列が、配列番号１、配列番号２、配列番号３、配列番号４、配列番号５、配列番号６、及び配列番号７からなる群から選択される、ＰＮＡコンジュゲート。
【請求項２】
『特異的結合体』が一次抗体又は二次抗体である、請求項１に記載のＰＮＡコンジュゲート。
【請求項３】
Ｘがビオチンである、請求項１に記載のＰＮＡコンジュゲート。
【請求項４】
ｍが０であり、ｚが０であり、ｎが１より大きい、請求項１に記載のＰＮＡコンジュゲート。
【請求項５】
ｎが２から６の範囲の整数である、請求項４に記載のＰＮＡコンジュゲート。
【請求項６】
『リンカー』が少なくとも１つのＰＥＧ基を含み、ｍが０であり、ｚが０であり、かつｎが１より大きい、請求項１に記載のＰＮＡコンジュゲート。
【請求項７】
『リンカー』が少なくとも１つのＰＥＧ基を含み、ｎが１より大きく、かつ『リンカー』が少なくとも１つの切断可能な基をさらに含む、請求項１に記載のＰＮＡコンジュゲート。
【請求項８】
『リンカー』が式（ＩＩＩａ）に示される構造を有する、請求項１に記載のＰＮＡコンジュゲート：
2020514258.tif 000002
［式中、
ｄ及びｅは、それぞれ独立して、２から２０の範囲の整数であり；
Ｑは、結合、Ｏ、Ｓ、又はＮ（Ｒｃ）（Ｒｄ）であり；
Ｒａ及びＲｂは、独立して、Ｈ、Ｃ１−Ｃ４アルキル基、Ｆ、Ｃｌ、又はＮ（Ｒｃ）（Ｒｄ）であり；
Ｒｃ及びＲｄは、独立して、ＣＨ３又はＨであり；かつ
Ａ及びＢは、独立して、１から１２個の炭素原子を有し、かつ、任意選択的に１つ以上のＯ、Ｎ、又はＳヘテロ原子を有する、分岐又は非分岐、直鎖又は環状、置換又は非置換、飽和又は不飽和の基である］。
【請求項９】
ｄ及びｅが２から６の範囲の整数である、請求項８に記載のＰＮＡコンジュゲート。
【請求項１０】
Ａ又はＢの少なくとも一方が、切断可能な部分を含む、請求項８に記載のＰＮＡコンジュゲート。
【請求項１１】
切断可能な部分が光切断可能基または化学的に切断可能な基である、請求項１０に記載のＰＮＡコンジュゲート。
【請求項１２】
Ｘがハプテンである、請求項７に記載のＰＮＡコンジュゲート。
【請求項１３】
サンプル中の標的を検出する方法において、
サンプルを第１のＰＮＡコンジュゲートと接触させることであって、前記第１のＰＮＡコンジュゲートが請求項１に記載のＰＮＡコンジュゲートである、接触させること；及び
サンプルを第１の検出試薬と接触させて、ＰＮＡコンジュゲートの検出を容易にすること
を含む方法。
【請求項１４】
『特異的結合体』が一次抗体であって、前記一次抗体が第１の標的に特異的であるか；又は『特異的結合体』が二次抗体であり、
前記方法が、前記サンプルを第１のＰＮＡコンジュゲートと接触させる前に、前記サンプルを第１の標的に特異的な一次抗体と接触させるステップをさらに含み、第１のＰＮＡコンジュゲートが第１の一次抗体に特異的である、
請求項１３に記載の方法。
【請求項１５】
第１の検出試薬が、ＰＮＡコンジュゲートの標識に特異的な抗標識抗体であり、任意選択的に標識がハプテンであり、抗標識抗体が抗ハプテン抗体である、請求項１３に記載の方法。
【請求項１６】
検出試薬が、第１のＰＮＡコンジュゲートのＰＮＡ配列に対して相補的なＰＮＡ又はＤＮＡ配列を含み、前記相補的ＰＮＡ又はＤＮＡ配列が、レポーター部分にコンジュゲートしている、請求項１３に記載の方法。
【請求項１７】
レポーター部分がフルオロフォアである、又は
レポーター部分がハプテンであり、前記方法が、サンプルを相補的ＰＮＡ又はＤＮＡ配列のハプテンに特異的な抗ハプテン抗体と接触させることをさらに含む、請求項１６に記載の方法。
【請求項１８】
第１のＰＮＡコンジュゲート中の『リンカー』が切断可能基をさらに含み、前記方法がサンプルを試薬と接触させて『リンカー』上の切断可能基を切断させること、及び切断された『ＰＮＡ』配列の量を定量することをさらに含む、請求項１３に記載の方法。
【請求項１９】
ＰＮＡ配列の量の定量化が、ＮａｎｏＳｔｒｉｎｇ  ｎＣｏｕｎｔｅｒ技術、Ｇｙｒｏｓ技術、又は質量分析法を使用して行われる、請求項１８に記載の方法。
【請求項２０】
切断可能基が、光切断可能基、化学的に切断可能な基、又は酵素的に切断可能な基からなる群より選択される、請求項１８に記載の方法。
【請求項２１】
ＰＮＡ配列が切断された特異的結合体を可視化することをさらに含む、請求項１８に記載の方法。
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
対象における疼痛状態を治療するための方法であって、治療有効量の、式：Ａ１−Ａ２−Ａ３−Ａ４−Ａ５−Ａ６−Ａ７−Ａ８（配列番号１）を有するオリゴペプチドを投与することを含み、
式中、
Ａ１が、アスパラギン酸、グルタミン酸、アラニン、及びそれらのグリコシル化形態からなる群から選択され；
Ａ２が、アルギニン、ヒスチジン、リジン、及びそれらのグリコシル化形態からなる群から選択され；
Ａ３が、バリン、アラニン、イソロイシン、ロイシン、及びそれらのグリコシル化形態からなる群より選択され；
Ａ４が、チロシン、フェニルアラニン、トリプトファン、及びそれらのグリコシル化形態からなる群から選択され；
Ａ５が、イソロイシン、バリン、アラニン、ロイシン、及びそれらのグリコシル化形態からなる群から選択され；
Ａ６が、ヒスチジン、アルギニン、リジン、及びそれらのグリコシル化形態からなる群から選択され；
Ａ７が、プロリン、グリシン、セリン、及びそれらのグリコシル化形態からなる群から選択され；
Ａ８は存在しても不在でもよく、Ａ８存在するとき、Ａ８が、セリン、トレオニン、ヒドロキシプロリン、及びそれらのグリコシル化形態からなる群から選択され、
前記疼痛状態が、急性疼痛、外傷による疼痛、歯痛、術後疼痛、帯状疱疹後神経痛、線維筋痛症、炎症性疼痛、脳卒中による疼痛、外傷性神経因性疼痛、多発性硬化症による疼痛、関節リウマチ、変形性関節症、及び複合性局所疼痛症候群からなる群から選択される、
前記方法。
【請求項２】
Ａ１〜Ａ８のうちの少なくとも１個が、単糖類または二糖類によってグリコシル化されている、請求項１に記載の方法。
【請求項３】
Ａ８が単糖類または二糖類によってグリコシル化されているか、またはＡ８が不在であり、かつＡ７単糖類または二糖類によってグリコシル化されている、請求項１または２に記載の方法。
【請求項４】
単糖類または二糖類のうちの少なくとも１つが、グルコース、ガラクトース、キシロース、フコース、ラムノース、ラクトース、セロビオース、及びメリビオースからなる群から選択される、請求項２または３に記載の方法。
【請求項５】
（ａ）Ａ７がセリンもしくはそのグリコシル化形態であり、かつＡ８が不在であるか、または（ｂ）Ａ８がセリンもしくはそのグリコシル化形態である、請求項１〜４のいずれか１項に記載の方法。
【請求項６】
（ａ）Ａ７がグルコースもしくはラクトースによってグリコシル化され、かつＡ８が不在であるか、または（ｂ）Ａ８がグルコースもしくはラクトースによってグリコシル化されている、請求項５に記載の方法。
【請求項７】
（ａ）Ａ７がアミノ基で終端し、かつＡ８が不在であるか、または（ｂ）Ａ８がアミノ基で終端している、請求項１〜６のいずれか１項に記載の方法。
【請求項８】
前記オリゴペプチドが、ＰＮ−Ａ２、ＰＮ−Ａ３、ＰＮ−Ａ４、ＰＮ−Ａ５、及びＰＮ−Ａ６からなる群から選択される、請求項１〜７のいずれか１項に記載の方法。
【請求項９】
前記オリゴペプチドがＰＮ−Ａ５である、請求項８に記載の方法。
【請求項１０】
前記オリゴペプチドがＰＮ−Ａ６である、請求項８に記載の方法。
【請求項１１】
前記オリゴペプチドが少なくとも１個のＤ−アミノ酸を含む、請求項１〜１０のいずれか１項に記載の方法。
【請求項１２】
各々のアミノ酸がＤ−アミノ酸である、請求項１〜１１のいずれか１項に記載の方法。